【手続補正書】
【提出日】平成24年7月25日(2012.7.25)
【手続補正１】
【補正対象書類名】特許請求の範囲
【補正対象項目名】全文
【補正方法】変更
【補正の内容】
【特許請求の範囲】
【請求項１】
物体側より像側へ順に、正の屈折力の第１レンズ群、負の屈折力の第２レンズ群、正の屈折力の第３レンズ群、負の屈折力の第４レンズ群、正の屈折力の第５レンズ群より構成され、広角端に対して望遠端で前記第１レンズ群と前記第２レンズ群の間隔が増大し、前記第２レンズ群と前記第３レンズ群の間隔が減少し、前記第３レンズ群と前記第４レンズ群の間隔が変化し、前記第４レンズ群と前記第５レンズ群の間隔が増大し、前記第１レンズ群と前記第４レンズ群の焦点距離を各々ｆ１、ｆ４、広角端における全系の焦点距離をｆｗ、前記第１レンズ群の広角端から望遠端へのズーミングに伴う移動量をＭ１、広角端における前記第１レンズ群の最も物体側のレンズ面から像面までの距離をＴＤｗとするとき、
４．０＜ｆ１／ｆｗ＜１５．０
−１．００＜Ｍ１／ＴＤｗ＜−０．４６
２．０＜｜ｆ４｜／ｆｗ＜６．０
なる条件式を満足することを特徴とするズームレンズ。
【請求項２】
前記第２レンズ群の焦点距離をｆ２とするとき、
０．５＜｜ｆ２｜／ｆｗ＜２．５
なる条件式を満足することを特徴とする請求項１に記載のズームレンズ。
【請求項３】
前記第３レンズ群の焦点距離をｆ３とするとき、
１．０＜ｆ３／ｆｗ＜３．０
なる条件式を満足することを特徴とする請求項１又は２に記載のズームレンズ。
【請求項４】
前記第５レンズ群の焦点距離をｆ５とするとき、
３．０＜ｆ５／ｆｗ＜７．０
なる条件式を満足することを特徴とする請求項１乃至３のいずれか１項に記載のズームレンズ。
【請求項５】
前記第１レンズ群の最も物体側のレンズ面から前記第１レンズ群の最も像側のレンズ面までの距離をＤＬ１、望遠端における全系の焦点距離をｆｔとするとき、
０．０３＜ＤＬ１／ｆｔ＜０．１５
なる条件式を満足することを特徴とする請求項１乃至４のいずれか１項に記載のズームレンズ。
【請求項６】
前記第２レンズ群の最も物体側のレンズ面から前記第２レンズ群の最も像側のレンズ面までの距離をＤＬ２、望遠端における全系の焦点距離をｆｔとするとき、
０．０３＜ＤＬ２／ｆｔ＜０．１５
なる条件式を満足することを特徴とする請求項１乃至５のいずれか１項に記載のズームレンズ。
【請求項７】
前記第１レンズ群は最も物体側に、負レンズと正レンズを接合した接合レンズを有し、前記接合レンズの最も物体側のレンズ面の曲率半径をＲ１ａ、前記接合レンズの最も像側のレンズ面の曲率半径をＲ１ｂとするとき、
−２．０＜（Ｒ１ａ＋Ｒ１ｂ）／（Ｒ１ａ−Ｒ１ｂ）＜−０．７
なる条件式を満足することを特徴とする請求項１乃至６のいずれか１項に記載のズームレンズ。
【請求項８】
前記第２レンズ群は最も物体側に負レンズを有し、前記負レンズの物体側のレンズ面の曲率半径をＲ２ａ、前記負レンズの像側のレンズ面の曲率半径をＲ２ｂとするとき、
０．５＜（Ｒ２ａ＋Ｒ２ｂ）／（Ｒ２ａ−Ｒ２ｂ）＜１．２
なる条件式を満足することを特徴とする請求項１乃至７のいずれか１項に記載のズームレンズ。
【請求項９】
前記第４レンズ群は１枚の負レンズより構成され、前記負レンズの物体側のレンズ面の曲率半径をＲ４ａ、前記負レンズの像側のレンズ面の曲率半径をＲ４ｂとするとき、
−０．７＜（Ｒ４ａ＋Ｒ４ｂ）／（Ｒ４ａ−Ｒ４ｂ）＜０．２
なる条件式を満足することを特徴とする請求項１乃至８のいずれか１項に記載のズームレンズ。
【請求項１０】
広角端における前記第４レンズ群と前記第５レンズ群の間隔をＤ４５ｗ、望遠端における前記第４レンズ群と前記第５レンズ群の間隔をＤ４５ｔとするとき、
１．５＜（Ｄ４５ｔ−Ｄ４５ｗ）／ｆｗ＜４．３
なる条件式を満足することを特徴とする請求項１乃至９のいずれか１項に記載のズームレンズ。
【請求項１１】
請求項１乃至１０のいずれか１項に記載のズームレンズと、前記ズームレンズによって形成された像を受光する固体撮像素子を有していることを特徴とする撮像装置。
【手続補正２】
【補正対象書類名】明細書
【補正対象項目名】０００６
【補正方法】変更
【補正の内容】
【０００６】
本発明のズームレンズは、物体側より像側へ順に、正の屈折力の第１レンズ群、負の屈折力の第２レンズ群、正の屈折力の第３レンズ群、負の屈折力の第４レンズ群、正の屈折力の第５レンズ群より構成され、広角端に対して望遠端で前記第１レンズ群と前記第２レンズ群の間隔が増大し、前記第２レンズ群と前記第３レンズ群の間隔が減少し、前記第３レンズ群と前記第４レンズ群の間隔が変化し、前記第４レンズ群と前記第５レンズ群の間隔が増大し、前記第１レンズ群と前記第４レンズ群の焦点距離を各々ｆ１、ｆ４、広角端における全系の焦点距離をｆｗ、前記第１レンズ群の広角端から望遠端へのズーミングに伴う移動量をＭ１、広角端における前記第１レンズ群の最も物体側のレンズ面から像面までの距離をＴＤｗとするとき、
４．０＜ｆ１／ｆｗ＜１５．０
−１．００＜Ｍ１／ＴＤｗ＜−０．４６
２．０＜｜ｆ４｜／ｆｗ＜６．０
なる条件式を満足することを特徴としている。
【手続補正３】
【補正対象書類名】明細書
【補正対象項目名】００１１
【補正方法】変更
【補正の内容】
【００１１】
図５（Ａ）、（Ｂ）、（Ｃ）は本発明の実施例３のズームレンズの広角端、中間のズーム位置、望遠端におけるレンズ断面図である。図６（Ａ）、（Ｂ）、（Ｃ）は本発明の実施例３のズームレンズの広角端、中間のズーム位置、望遠端における収差図である。実施例３はズーム比１１．５３、開口比３．５８〜６．０９程度のズームレンズである。図７（Ａ）、（Ｂ）、（Ｃ）は本発明の実施例４のズームレンズの広角端、中間のズーム位置、望遠端におけるレンズ断面図である。図８（Ａ）、（Ｂ）、（Ｃ）は本発明の実施例４のズームレンズの広角端、中間のズーム位置、望遠端における収差図である。実施例４はズーム比１２．７１、開口比３．４８〜６．０９程度のズームレンズである。図９（Ａ）、（Ｂ）、（Ｃ）は本発明の実施例５のズームレンズの広角端、中間のズーム位置、望遠端におけるレンズ断面図である。図１０（Ａ）、（Ｂ）、（Ｃ）は本発明の実施例５のズームレンズの広角端、中間のズーム位置、望遠端における収差図である。実施例５はズーム比１３．６１、開口比３．０８〜６．０８程度のズームレンズである。図１１は本発明の撮像装置の要部概略図である。
【手続補正４】
【補正対象書類名】明細書
【補正対象項目名】００３８
【補正方法】変更
【補正の内容】
【００３８】
［数値実施例１］
単位 mm
面データ
面番号       r        d      nd         νd
1         47.198    0.90   1.84666    23.9           
2         28.488    2.50   1.49700    81.5           
3        539.546    0.20                             
4         27.858    1.95   1.69680    55.5           
5        130.634  (可変)                             
6       -142.993    1.03   1.85135    40.1           
7*         5.724    2.27                             
8        -32.718    0.60   1.80400    46.6           
9         20.754    0.20                             
10         10.630    1.40   1.94595    18.0           
11         41.156  (可変)                             
12*         7.790    1.40   1.58313    59.4           
13*       -42.498    0.92                             
14(絞り)    ∞       1.48                             
15         14.621    0.60   1.94595    18.0           
16          7.752    0.51                             
17         38.232    1.45   1.60311    60.6           
18        -10.112  (可変)                             
19        -22.588    0.50   1.48749    70.2           
20         23.874  (可変)                             
21         15.072    2.00   1.69680    55.5           
22        -42.895    0.60   1.72825    28.5           
23        240.459  (可変)                             
24          ∞       0.80   1.51633    64.1           
25          ∞       0.90 
像面        ∞   
非球面データ
第7面
K =-1.12918e+000  A 4= 7.09263e-004  A 6= 1.64697e-005  A 8=-3.81294e-007  A10=
1.79401e-008  
第12面
K =-1.22101e+000  A 4= 4.95648e-005  A 6= 7.55352e-006  A 8= 3.03893e-006  A10=
-1.83896e-007  
第13面
K =-1.36363e+002  A 4= 9.00236e-007  A 6= 2.00697e-005  A 8= 2.20070e-006  A10=
-1.36759e-007  
各種データ
ズーム比     13.32 
広角     中間     望遠
焦点距離       5.12    17.53    68.25  
Fナンバー      3.21     4.62     6.08  
画角          37.59    12.51     3.20  
像高           3.33     3.88     3.88  
レンズ全長    48.61    56.13    75.70  
BF             6.95    13.90     7.26  
d 5            0.95    11.54    25.33  
d11           15.79     4.21     0.71  
d18            1.90     2.57     3.04  
d20            2.51     3.39    18.85  
d23            5.52    12.48     5.84  
ズームレンズ群データ
群  始面    焦点距離  
1    1      41.07  
2    6      -6.74  
3   12      10.27  
4   19     -23.73  
5   21      23.41  
6   24       ∞ 
【手続補正５】
【補正対象書類名】明細書
【補正対象項目名】００３９
【補正方法】変更
【補正の内容】
【００３９】
［数値実施例２］
単位 mm
面データ
面番号       r        d      nd         νd
1         46.105    0.90   1.84666    23.9           
2         28.149    2.50   1.49700    81.5           
3       -896.593    0.20                             
4         29.174    1.95   1.69680    55.5           
5        133.477  (可変)                             
6       -107.677    1.03   1.85135    40.1           
7*         5.781    2.23                             
8        -25.388    0.60   1.80400    46.6           
9         19.958    0.20                             
10         10.787    1.40   1.94595    18.0           
11         48.530  (可変)                             
12*         8.020    1.40   1.58313    59.4           
13*       -43.077    0.92                             
14(絞り)    ∞       1.48                             
15         14.032    0.60   1.94595    18.0           
16          7.726    0.37                             
17         28.459    1.45   1.60311    60.6           
18        -11.506  (可変)                             
19        -21.561    0.50   1.48749    70.2           
20         34.086  (可変)                             
21         16.262    2.00   1.69680    55.5           
22        -35.941    0.60   1.72825    28.5           
23       -616.530  (可変)                             
24          ∞       0.80   1.51633    64.1           
25          ∞       0.40 
像面        ∞   
非球面データ
第7面
K =-1.09648e+000  A 4= 7.01327e-004  A 6= 1.67084e-005  A 8=-4.05009e-007  A10=
2.30460e-008  
第12面
K =-1.13386e+000  A 4= 5.16885e-005  A 6=-3.63367e-006  A 8= 3.63312e-006  A10=
-1.67540e-007  
第13面
K =-1.42198e+002  A 4=-3.07739e-005  A 6= 8.68663e-006  A 8= 2.96062e-006  A10=
-1.33285e-007  
各種データ
ズーム比     13.32 
広角     中間     望遠
焦点距離       5.13    14.29    68.26  
Fナンバー      3.55     4.56     6.09  
画角          37.53    15.37     3.21  
像高           3.33     3.88     3.88  
レンズ全長    51.12    56.53    75.12  
BF             5.21    12.85     8.17  
d 5            0.97     8.78    24.55  
d11           16.79     5.54     0.52  
d18            1.90     2.05     4.62  
d20            5.93     6.98    16.94  
d23            4.28    11.92     7.24  
ズームレンズ群データ
群  始面    焦点距離  
1    1      39.90  
2    6      -6.36  
3   12      10.36  
4   19     -27.01  
5   21      23.19  
6   24       ∞  
【手続補正６】
【補正対象書類名】明細書
【補正対象項目名】００４０
【補正方法】変更
【補正の内容】
【００４０】
［数値実施例３］
単位 mm
面データ
面番号       r        d      nd         νd
1         41.718    1.00   1.84666    23.9           
2         28.350    3.00   1.49700    81.5           
3        270.615    0.10                             
4         37.070    2.00   1.69680    55.5           
5        198.718  (可変)                             
6      -19399.678    1.03   1.85135    40.1           
7*         5.891    2.84                             
8        -35.292    0.60   1.80400    46.6           
9         19.252    0.20                             
10         10.873    1.40   1.94595    18.0           
11         38.100  (可変)                             
12*         7.535    1.40   1.58313    59.4           
13*       -39.703    0.92                             
14(絞り)    ∞       1.48                             
15         16.098    0.60   1.94595    18.0           
16          7.574    0.29                             
17         29.633    1.45   1.60311    60.6           
18         -9.543  (可変)                             
19        -25.546    0.50   1.48749    70.2           
20         21.446  (可変)                             
21         13.911    1.60   1.69680    55.5           
22         63.769  (可変)                             
23          ∞       0.80   1.51633    64.1           
24          ∞       0.40 
像面        ∞   
非球面データ
第7面
K =-1.10287e+000  A 4= 6.93044e-004  A 6= 1.62873e-005  A 8=-3.39845e-007  A10=
1.85149e-008  
第12面
K =-1.40191e+000  A 4= 6.64943e-005  A 6= 3.39935e-006  A 8= 3.85620e-007  A10=
2.94359e-008  
第13面
K =-1.23906e+002  A 4=-4.48665e-005  A 6= 1.24540e-005  A 8= 6.51078e-008  A10=
4.76659e-008  
各種データ
ズーム比     11.53 
広角     中間     望遠
焦点距離       4.40    14.86    50.75  
Fナンバー      3.58     5.03     6.09  
画角          43.44    14.53     4.30  
像高           3.33     3.88     3.88  
レンズ全長    48.63    54.86    72.66  
BF             8.14    13.00     9.57  
d 5            0.70    12.08    27.83  
d11           17.29     4.88     1.02  
d18            1.00     2.36     4.21  
d20            1.09     2.13     9.62  
d22            7.21    12.07     8.64  
ズームレンズ群データ
群  始面    焦点距離  
1    1      47.00  
2    6      -6.87  
3   12       9.96  
4   19     -23.83  
5   21      25.20  
6   23       ∞  
【手続補正７】
【補正対象書類名】明細書
【補正対象項目名】００４１
【補正方法】変更
【補正の内容】
【００４１】
［数値実施例４］
単位 mm
面データ
面番号       r        d      nd         νd
1         45.137    0.80   1.84666    23.9           
2         26.751    2.00   1.49700    81.5           
3        316.073    0.20                             
4         25.509    1.80   1.69680    55.5           
5        138.290  (可変)                             
6        -45.848    0.90   1.85135    40.1           
7*         6.967    1.51                             
8        -26.682    0.60   1.80400    46.6           
9         19.054    0.20                             
10         10.997    1.20   1.94595    18.0           
11         64.566  (可変)                             
12*         7.931    1.40   1.58313    59.4           
13*       -49.743    0.92                             
14(絞り)    ∞       1.48                             
15         15.005    0.60   1.94595    18.0           
16          7.889    0.42                             
17         28.965    1.45   1.60311    60.6           
18        -11.148  (可変)                             
19        -18.255    0.50   1.48749    70.2           
20         31.033  (可変)                             
21         14.715    1.80   1.69680    55.5           
22         95.464  (可変)                             
23          ∞       0.80   1.51633    64.1           
24          ∞       0.40 
像面        ∞   
非球面データ
第7面
K =-1.69260e+000  A 4= 7.35961e-004  A 6= 4.02138e-006  A 8= 4.27135e-007  A10=
-1.82160e-008  
第12面
K =-1.35343e+000  A 4= 5.70480e-005  A 6= 3.68881e-006  A 8= 3.75286e-006  A10=
-2.39096e-007  
第13面
K =-1.55159e+002  A 4=-4.68124e-005  A 6= 1.55281e-005  A 8= 2.92922e-006  A10=
-2.03532e-007  
各種データ
ズーム比     12.71 
広角     中間     望遠
焦点距離       6.29    25.29    80.00  
Fナンバー      3.48     4.85     6.09  
画角          32.02     8.73     2.72  
像高           3.33     3.88     3.88  
レンズ全長    48.34    55.92    71.61  
BF             9.25    17.42     6.13  
d 5            1.14    13.69    23.74  
d11           15.48     3.43     0.50  
d18            1.00     2.11     1.82  
d20            3.69     1.50    21.63  
d22            8.32    16.49     5.21  
ズームレンズ群データ
群  始面    焦点距離  
1    1      38.00  
2    6      -7.19  
3   12      10.52  
4   19     -23.50  
5   21      24.74  
6   23       ∞    
【手続補正８】
【補正対象書類名】明細書
【補正対象項目名】００４２
【補正方法】変更
【補正の内容】
【００４２】
［数値実施例５］
単位 mm
面データ
面番号       r        d      nd         νd
1         46.956    0.90   1.84666    23.9           
2         28.657    2.40   1.49700    81.5           
3        383.163    0.20                             
4         28.893    1.95   1.69680    55.5           
5        126.728  (可変)                             
6       -112.475    0.95   1.85135    40.1           
7*         5.364    2.13                             
8        -34.451    0.60   1.80400    46.6           
9         19.993    0.20                             
10         10.523    1.30   1.92286    18.9           
11         59.521  (可変)                             
12*         7.637    1.40   1.58313    59.4           
13*       -48.324    0.92                             
14(絞り)    ∞       1.48                             
15         13.710    0.60   1.94595    18.0           
16          7.544    0.48                             
17         60.712    1.45   1.60311    60.6           
18         -9.339  (可変)                             
19        -15.865    0.50   1.48749    70.2           
20         45.081  (可変)                             
21         17.556    2.20   1.69680    55.5           
22        -32.092    0.60   1.92286    18.9           
23        -67.453  (可変)                             
24          ∞       0.80   1.51633    64.1           
25          ∞       0.40 
像面        ∞   
非球面データ
第7面
K =-1.08028e+000  A 4= 7.05087e-004  A 6= 2.09739e-005  A 8=-7.34249e-007  A10=
2.84558e-008  
第12面
K =-1.42301e+000  A 4= 8.27856e-005  A 6= 1.64853e-005  A 8= 2.43605e-006  A10=
-2.21873e-007  
第13面
K =-1.65690e+002  A 4= 1.77865e-005  A 6= 2.70905e-005  A 8= 1.92902e-006  A10=
-2.07273e-007  
各種データ
ズーム比     13.61 
広角     中間     望遠
焦点距離       5.01    16.66    68.25  
Fナンバー      3.08     4.34     6.08  
画角          38.19    13.13     3.22  
像高           3.33     3.88     3.88  
レンズ全長    46.71    55.70    80.72  
BF             7.63    14.77     8.37  
d 5            0.69    11.39    26.74  
d11           14.63     3.75     0.69  
d18            1.90     2.45     3.59  
d20            1.60     3.07    21.07  
d23            6.70    13.85     7.44  
ズームレンズ群データ
群  始面    焦点距離  
1    1      43.29  
2    6      -6.64  
3   12      10.25  
4   19     -24.01  
5   21      21.81  
6   24       ∞    
前述の各条件式と数値実施例における諸数値の関係を表１に示す